(57)【要約】【課題】液体収容体がケースから外れる可能性を低減するカートリッジを提供する。【解決手段】カートリッジ３は、液体収容体３１と、液体収容体３１を支持する第一ケース３３とを備えている。液体収容体３１は、液体収容袋、口栓７０、第一突出部８３、及び第二突出部８５を備えている。液体収容袋は、可撓性する袋状であり、液体を収容する。口栓７０は、液体収容袋に接続され、軸線方向に延びる。第一突出部８３は、口栓７０に接続され、軸線方向に交わる方向に延びる。第二突出部８５は、口栓７０を挟んで第一突出部８３とは反対側において口栓７０に接続されている。第二突出部８５の長さは第一突出部８３の長さより短い。第一ケース３３は、第一突出部８３が係合する第一開口部３７２と、第二突出部８５が弾性変形した状態で係合する第二開口部３９１とを備えている。【選択図】図１０
2015196250.tif 000002
【特許請求の範囲】
【請求項１】
液体収容体と、前記液体収容体を支持するケースとを備えたカートリッジであって、
前記液体収容体は、
可撓性を有し、液体を収容する液体収容部と、
前記液体収容部に接続され、軸線方向に延びる口栓と、
前記口栓に接続され、前記軸線方向に交わる方向に延びる第一係合部と、
前記口栓を挟んで前記第一係合部とは反対側において前記口栓に接続され、前記軸線方向に交わる方向に前記第一係合部と対向して延び、前記第一係合部よりも短い長さであり、前記口栓に向かう方向に弾性変形する第二係合部と
を備え、
前記ケースは、
前記第一係合部が係合する第一開口部と、
前記第二係合部が弾性変形した状態で係合する第二開口部と
を備えたことを特徴とするカートリッジ。
【請求項２】
前記ケースは、前記液体収容体を支持し、前記軸線方向に延びる支持壁部を備え、
前記第一開口部は前記支持壁部に設けられ、
前記第二開口部は、前記支持壁部に接続された壁部である開口壁部に形成され、
前記第一係合部は、前記支持壁部の液体収容体側の内面とは反対側の外面に係合する爪部である第一係合爪を備え、
前記第二係合部は、前記開口壁部の内側に係合する爪部である第二係合爪を備えることを特徴とする請求項１に記載のカートリッジ。
【請求項３】
前記支持壁部における前記外面は、前記支持壁部から前記液体収容体に向かう方向に凹む２つの溝部を備え、
前記第一開口部は前記２つの溝部の少なくとも一方に設けられ、
前記第一係合爪は前記溝部における前記外面に係合し、
前記開口壁部は、前記２つの溝部の少なくとも一方の前記内面側に設けられたことを特徴とする請求項２に記載のカートリッジ。
【請求項４】
前記口栓の外側の面に設けられた第一載置部であって、前記第一係合部と前記第二係合部とが対向する方向において、前記第一係合爪と前記第二係合爪との間の中心位置を含む位置に設けられた第一載置部を備え、
前記支持壁部は前記第一載置部を支持する第一支持部を備えたことを特徴とする請求項２又は３に記載のカートリッジ。
【請求項５】
前記口栓の外側の面において、前記第一載置部に対して前記軸線方向側に設けられた第二載置部を備え、
前記支持壁部は前記第二載置部を支持する第二支持部を備えることを特徴とする請求項４に記載のカートリッジ。
【請求項６】
前記第一係合部と前記第二係合部とを備え、前記口栓とは別体で形成され、前記口栓に取り付けられる取付部を備えたことを特徴とする請求項１から５のいずれかに記載のカートリッジ。
【請求項７】
電気基板を保持したホルダであって、前記取付部における前記第一係合部と前記第二係合部とが前記口栓から延びる方向である突出方向の反対方向側に装着されたホルダを備えたことを特徴とする請求項６に記載のカートリッジ。
【請求項８】
前記ホルダは、
前記電気基板を露出するホルダ開口部と、
前記ホルダ開口部の一対の端部の夫々から、前記突出方向に延びる係合部であるホルダ係合部と、
前記ホルダ係合部の先端に設けられた爪部であるホルダ爪と
を備え、
前記取付部は、
前記突出方向とは反対方向側に延びる一対の壁部である延伸壁部と、
前記一対の延伸壁部の夫々に設けられた開口部である係合開口部と
を備え、
前記ホルダ爪は前記係合開口部に係合することを特徴とする請求項７に記載のカートリッジ。
【請求項９】
前記ホルダから前記軸線方向のうち一方向側に延びる延伸部と、
前記延伸部から前記突出方向とは反対方向側に突起する突部と
を備えたことを特徴とする請求項７又は８に記載のカートリッジ。
【発明の詳細な説明】
【技術分野】
【０００１】
本発明は、液体を収容する液体収容体がケース内に配置されたカートリッジに関する。
【背景技術】
【０００２】
従来、ケースに液体収容体が収納されたカートリッジが知られている。例えば、特許文献１に記載のインクカートリッジは、液体であるインクを収容するインク袋と、インク袋を収容するケースとを備えている。インク袋には、インク袋に収容されたインクが取り出される口栓が設けられている。口栓は、口栓から一方向に突起する係合突起を有する。ケースは、係合孔を有する。口栓の係合突起がケースの係合孔に嵌合されることで、インクパックがケースに固定される。
【先行技術文献】
【特許文献】
【０００３】
【特許文献１】特開２０１２−２１０７２９号公報
【発明の概要】
【発明が解決しようとする課題】
【０００４】
インクカートリッジに収容されたインクパックからインクを導出する場合、インクパックがケースに確実に固定されていることが望ましい。しかしながら、前記従来のインクパックは、１つの係合突起が口栓から突起し、係合突起がケースの係合孔と係合する構成である。この場合において、例えば口栓に対して力が加えられた場合、係合突起と係合孔との係合が解除され、インクパックがケースから外れる可能性があった。
【０００５】
本発明の目的は、液体収容体がケースから外れる可能性を低減するカートリッジを提供することである。
【課題を解決するための手段】
【０００６】
本発明に係るカートリッジは、液体収容体と、前記液体収容体を支持するケースとを備えたカートリッジであって、前記液体収容体は、可撓性を有し、液体を収容する液体収容部と、前記液体収容部に接続され、軸線方向に延びる口栓と、前記口栓に接続され、前記軸線方向に交わる方向に延びる第一係合部と、前記口栓を挟んで前記第一係合部とは反対側において前記口栓に接続され、前記軸線方向に交わる方向に前記第一係合部と対向して延び、前記第一係合部よりも短い長さであり、前記口栓に向かう方向に弾性変形する第二係合部とを備え、前記ケースは、前記第一係合部が係合する第一開口部と、前記第二係合部が弾性変形した状態で係合する第二開口部とを備えている。
【０００７】
この場合、第一係合部と第二係合部とが、口栓を挟んだ位置でケースに係合する。故に、従来のように、１つの係合突起が口栓から突起してケースの係合孔に係合する場合に比べて、口栓とケースとの係合が解除される可能性を低減できる。さらに、第二係合部が弾性変形した状態で第二開口部と係合する。即ち、第二係合部が弾性力を発揮した状態で、第二係合部と第二開口部とが係合している。このため、第二係合部が弾性変形しない状態で第二開口部と係合する場合に比べて、第二係合部、口栓、及び第一係合部が並ぶ方向に口栓がずれ難く、第一係合部と第一開口部との係合、及び、第二係合部と第二開口部との係合が解除され難い。故に、液体収容体がケースから外れる可能性を低減できる。
【０００８】
前記カートリッジにおいて、前記ケースは、前記液体収容体を支持し、前記軸線方向に延びる支持壁部を備え、前記第一開口部は前記支持壁部に設けられ、前記第二開口部は、前記支持壁部に接続された壁部である開口壁部に形成され、前記第一係合部は、前記支持壁部の液体収容体側の内面とは反対側の外面に係合する爪部である第一係合爪を備え、前記第二係合部は、前記開口壁部の内側に係合する爪部である第二係合爪を備えている。
【０００９】
この場合、第一係合爪が支持壁部の外面に係合するので、第一係合爪が設けられていない場合に比べて、支持壁部から離れる方向に口栓が移動して第一係合爪と第一開口部との係合が解除される可能性を低減できる。故に、口栓が支持壁部から浮いてしまう可能性を低減できる。また、第二係合爪が開口壁部と係合するので、第二係合爪が設けられていない場合に比べて、第二係合部と開口壁部との係合が解除される可能性を低減できる。故に、液体収容体がケースから外れる可能性を低減できる。
【００１０】
前記カートリッジにおいて、前記支持壁部における前記外面は、前記支持壁部から前記液体収容体に向かう方向に凹む２つの溝部を備え、前記第一開口部は前記２つの溝部の少なくとも一方に設けられ、前記第一係合爪は前記溝部における前記外面に係合し、前記開口壁部は、前記２つの溝部の少なくとも一方の前記内面側に設けられてもよい。この場合、第一係合爪が溝部に配置される。故に、カートリッジが机等の平面に置かれた場合に、第一係合部が平面に接触しない。このため、カートリッジを平面に置かれた場合に第一係合部が平面に当たり、第一係合爪が破損し、第一係合部とケースとの係合が解除される可能性を低減できる。故に、液体収容体がケースから外れる可能性を低減できる。
【００１１】
前記カートリッジは、前記口栓の外側の面に設けられた第一載置部であって、前記第一係合部と前記第二係合部とが対向する方向において、前記第一係合爪と前記第二係合爪との間の中心位置を含む位置に設けられた第一載置部を備え、前記支持壁部は前記第一載置部を支持する第一支持部を備えてもよい。この場合、第一載置部が、中心位置を含まない位置に設けられている場合に比べて、第一係合爪と第二係合爪とに作用する口栓を保持する力がより均等に分散される。このため、口栓が斜めに傾き難く、第一係合爪とケースとの係合、及び第二係合爪とケースとの係合が解除される可能性を低減できる。故に、液体収容体がケースから外れる可能性を低減できる。
【００１２】
前記カートリッジは、前記口栓の外側の面において、前記第一載置部に対して前記軸線方向側に設けられた第二載置部を備え、前記支持壁部は前記第二載置部を支持する第二支持部を備えてもよい。この場合、第一載置部と第二載置部の２つの載置部が設けられ、口栓が支持壁部に２か所で支持される。故に、一か所で支持される場合に比べて、口栓の姿勢が安定する。このため、第一係合爪とケースとの係合、及び第二係合爪とケースとの係合が解除される可能性を低減できる。故に、液体収容体がケースから外れる可能性を低減できる。
【００１３】
前記カートリッジは、前記第一係合部と前記第二係合部とを備え、前記口栓とは別体で形成され、前記口栓に取り付けられる取付部を備えてもよい。この場合、取付部が口栓とは別体で形成されているので、種々の口栓に容易に取り付けることができる。故に、液体収容体がケースから外れる可能性を低減できる口栓周辺の構造を容易に構成できる。
【００１４】
前記カートリッジは、電気基板を保持したホルダであって、前記取付部における前記第一係合部と前記第二係合部とが前記口栓から延びる方向である突出方向の反対方向側に装着されたホルダを備えてもよい。この場合、電気基板を保持したホルダが取付部に対して突出方向の反対側に配置されるので、電気基板を保持した状態の液体収容体を確実にケースに装着できる。
【００１５】
前記カートリッジにおいて、前記ホルダは、前記電気基板を露出するホルダ開口部と、前記ホルダ開口部の一対の端部の夫々から、前記突出方向に延びる係合部であるホルダ係合部と、前記ホルダ係合部の先端に設けられた爪部であるホルダ爪とを備え、前記取付部は、前記突出方向とは反対方向側に延びる一対の壁部である延伸壁部と、前記一対の延伸壁部の夫々に設けられた開口部である係合開口部とを備え、前記ホルダ爪は前記係合開口部に係合してもよい。この場合、ホルダ爪が係合開口部に係合しない場合に比べて、より確実に液体収容体に電気基板を保持させることができる。
【００１６】
前記カートリッジには、前記ホルダから前記軸線方向のうち一方向側に延びる延伸部と、前記延伸部から前記突出方向とは反対方向側に突起する突部とを備えてもよい。この場合、延伸部と突部とが設けられていない場合に比べて、作業者は、ホルダの向きを把握し易い。このため、ホルダが取付部に取り付けられる場合に、ホルダ及び電気基板が誤った向きに配置される可能性を低減できる。
【図面の簡単な説明】
【００１７】
【図１】プリンタ１の斜視図である。
【図２】カートリッジ３が装着されたカートリッジ装着部８の斜視図である。
【図３】カートリッジ装着部８の枠部３８の斜視図である。
【図４】カートリッジ３の斜視図である。
【図５】第二ケース４０が取り除かれたカートリッジ３の斜視図である。
【図６】液体が収容された液体収容体３１の左側面図である。
【図７】取付部８０が第一姿勢の場合の口栓ユニット７の斜視図である。
【図８】取付部８０が第一姿勢の場合の口栓ユニット７の正面図である。
【図９】取付部８０が第一姿勢の場合の口栓ユニット７の分解斜視図である。
【図１０】取付部８０が第一姿勢の場合の口栓ユニット７を含むカートリッジ３の縦断面図である。
【図１１】ホルダ９０の斜視図である。
【図１２】取付部８０が第二姿勢の場合の口栓ユニット７の正面図である。
【図１３】取付部８０が第二姿勢の場合の口栓ユニット７を含むカートリッジ３の縦断面図である。
【図１４】第一ケース３３の斜視図である。
【図１５】第一ケース３３の要部拡大図である。
【図１６】カートリッジ装着部８に装着されたカートリッジ３の口栓７０近傍を示す図である。
【図１７】取付部８０１が第一姿勢の場合の変形例に係る口栓ユニット７０１の正面図である。
【図１８】取付部８０１が第二姿勢の場合の変形例に係る口栓ユニット７０１の正面図である。
【発明を実施するための形態】
【００１８】
本発明の実施の形態について、図面を参照して説明する。まず、図１〜図３を参照して、プリンタ１の概略構成について説明する。以下の説明では、図１の上方、下方、右下方、左上方、右上方、及び左下方を、各々、プリンタ１の上方、下方、右方、左方、後方、及び前方と定義して説明する。
【００１９】
図１に示すように、プリンタ１は、印刷媒体であるＴシャツ等の布帛（図示外）に対して、液体であるインクを吐出することで印刷を行うインクジェットプリンタである。プリンタ１は、紙等を印刷媒体としてもよい。本実施形態においては、プリンタ１は、互いに異なる５種のインク（ホワイト（Ｗ）、ブラック（Ｋ）、イエロー（Ｙ）、シアン（Ｃ）、及びマゼンタ（Ｍ））を下方へ向けて吐出することで、印刷媒体にカラー画像の印刷を行うことができる。以下の説明では、５種のインクのうち、ホワイトのインクを白インクといい、ブラック、シアン、イエロー、及びマゼンタの４色のインクを総称する場合はカラーインクという。
【００２０】
プリンタ１は、筐体２、プラテン駆動機構６、プラテン５、トレイ４、枠体１０、ガイドシャフト９、レール１１、キャリッジ２０、支持部（図示略）、ヘッドユニット１００，２００、駆動ベルト１０１、及び駆動モータ１９を主に備える。
【００２１】
筐体２は、左右方向を長手方向とする略直方体状である。筐体２の右部の前側には、プリンタ１の操作を行うための操作部（図示略）が設けられている。操作部は、ディスプレイ及び操作ボタンを備える。ディスプレイは、各種情報を表示する。操作ボタンは、ユーザがプリンタ１の各種動作に関する指示を入力する際に操作される。
【００２２】
プラテン駆動機構６は、前後方向に延びる一対のガイドレール（図示略）を内部に備える。一対のガイドレールは、プラテン５、及びトレイ４を前後方向に搬送可能に支持する。プラテン駆動機構６は、後端部に設けられたモータ（図示外）を駆動源として、プラテン５及びトレイ４を、一対のガイドレールに沿って筐体２の前後方向に移動する。プラテン５は、筐体２の前後方向を長手方向とする平面視略長方形状の板状である。プラテン５は、後述する枠体１０の下方に設けられている。プラテン５の上面には、例えばＴシャツ等の布帛からなる印刷媒体が載置される。トレイ４は、平面視矩形状であり、プラテン５の下方に設けられている。トレイ４は、ユーザがＴシャツ等をプラテン５に載置する際に、Ｔシャツのそで等を受けることで、当該そで等が筐体２内部に落ちないように保護する。
【００２３】
枠体１０は、平面視略長方形状の枠状である。枠体１０は、筐体２の上部に設置される。枠体１０は、ガイドシャフト９と、レール１１とを内側において夫々支持する。ガイドシャフト９は、左右方向に延びる軸部材である。レール１１は、ガイドシャフト９に対向して配置され、左右方向に延びる棒状部材である。ガイドシャフト９とレール１１とは、互いに前後方向に離間している。
【００２４】
キャリッジ２０は、ガイドシャフト９に沿って左右方向に搬送可能に支持されている。ヘッドユニット１００，２００は、キャリッジ２０に搭載される。ヘッドユニット１００，２００夫々の底面には、ヘッド部（図示略）が設けられている。該ヘッド部は複数個の微細なノズルを備えており、圧電素子の駆動によりノズルから下向きにインクの液滴を吐出する。
【００２５】
駆動ベルト１０１は、枠体１０内側において、左右方向に沿って架け渡される帯状である。駆動ベルト１０１は、可撓性を有する樹脂製である。駆動モータ１９は、枠体１０の内側の前方右側に設けられる。駆動モータ１９は、前後方向においてガイドシャフト９とレール１１との間に設けられる。駆動モータ１９は、正逆回転可能であり、駆動ベルト１０１を介して、キャリッジ２０と連結されている。駆動モータ１９が駆動ベルト１０１を駆動させると、キャリッジ２０が左右方向（主走査方向）に往復移動し、ヘッドユニット１００，２００夫々のヘッド部が左右方向に往復移動する。プラテン５が、印刷媒体を前後方向（搬送方向、副走査方向）に搬送し、左右方向に往復移動するヘッド部からインクが吐出されることで、プリンタ１による印刷媒体への印刷が行われる。
【００２６】
プリンタ１の右側には、図２に示すカートリッジ装着部８が設けられている。カートリッジ装着部８は、図示略の筐体によって支持されている。ヘッドユニット１００，２００の夫々のヘッド部には、カートリッジ装着部８に装着されたカートリッジ３からインクが供給される。カートリッジ装着部８には、複数（本実施形態では、６つ）のカートリッジ３をセット可能である。
【００２７】
図３に示すように、カートリッジ装着部８の前部に設けられた枠部３８には、カートリッジ３を出し入れ可能な上下方向に３列、左右方向に２列の開口部１２０Ａ〜１２０Ｆが設けられている。上側４つの開口部１２０Ａ〜１２０Ｄの下部には、上方に突起する突起部１２１が設けられている。下側２つの開口部１２０Ｅ，１２０Ｆの下部には、上方に突起する突起部１２２が設けられている。左右方向において、突起部１２１の位置は、突起部１２２の位置より右側である。カートリッジ３がカートリッジ装着部８に装着される場合、カートリッジ３の溝部３６１（図４参照、後述）が突起部１２１を通り、溝部３６２（図４参照、後述）が突起部１２２を通る。カートリッジ３がカートリッジ装着部８に装着されると、カートリッジ３に収容された液体収容体３１の口栓７０（図７参照、後述）に配置されたゴム栓（図示略）に、液体収容体３１から液体を導出するための中空針１０６（図１６参照）が刺さる。これによって、カートリッジ３はカートリッジ装着部８にセットされる。
【００２８】
図４〜図１６を参照し、カートリッジ３について説明する。以下の説明では、図４の上方、下方、右下方、左上方、右上方、及び左下方を、各々、カートリッジ３の上方、下方、前方、後方、右方、及び左方と定義して説明する。図４及び図５に示すように、カートリッジ３は、液体収容体３１と、液体収容体３１を内部に収容するケース３２とを備えている。
【００２９】
図５に示すように、液体収容体３１は、液体収容袋１３及び口栓ユニット７を備えている。図６に示すように、液体収容袋１３は、可撓性を有する長方形状の樹脂性の２枚のシート１３Ａ、１３Ｂを、夫々の一面同士が対向した状態で重ね合わせ、周縁部分を熱溶着（熱シール）することで形成された袋状の容器である。液体収容袋１３の内部には、種々の液体が収容される。本実施形態における液体は、インクであるとする。液体収容袋１３に収容されたインクの残量が多い場合、図６に示すように、シート１３Ａ、１３Ｂは互いに離れる方向に湾曲する。一方、インクの残量が少ない場合、シート１３Ａ、１３Ｂ間の距離が狭まって互いに接触する方向に撓む。なお、図６以外の液体収容袋１３は、インクが収容されていない状態で示しているが、実際には、インクが収容されている。また、図１６においては、液体収容袋１３の図示を省略している。
【００３０】
口栓ユニット７の概略構成について説明する。図６及び図７に示すように、口栓ユニット７が有する口栓７０は、液体収容袋１３に接続され、軸線Ｘ方向である前後方向に延びる。軸線Ｘ方向は、液体収容袋１３の長手方向と略平行である。図７及び図８に示すように、口栓７０には、第一突出部８３と第二突出部８５とが接続されている。第一突出部８３は、口栓７０の右側に設けられている。第二突出部８５は、口栓７０を挟んで第一突出部８３とは反対側である左側に設けられている。第一突出部８３と第二突出部８５とは、左右方向において互いに対向し、軸線Ｘ方向に直交する方向である下方に延びる。以下の説明では、第一突出部８３と第二突出部８５が互いに対向して延びる下方向を「突出方向」という場合がある。第二突出部８５の突出方向の長さは、第一突出部８３の突出方向の長さより短い。第一突出部８３がケース３２の第一開口部３７２（後述）に係合し、第二突出部８５がケース３２の第二開口部３９１（後述）に係合することで、液体収容体３１がケース３２に装着される（図１０参照）。
【００３１】
図７〜図１１を参照して、口栓ユニット７の詳細構成について説明する。図７〜図９に示すように、口栓ユニット７は、口栓７０、取付部８０、ホルダ９０、電気基板９８、及びネジ９９（図９参照）が組合わせれて形成されている。図９に示すように、口栓７０は軸線Ｘ方向に延びる円筒状の本体部７１１を備えている。本体部７１１は、軸線Ｘ方向に本体部７１１を貫通する中空部７１２を備えている。中空部７１２は、液体収容袋１３の内部と液体収容体３１の外部とを連通する。図示しないが、中空部７１２の軸線Ｘ方向の一部には、ゴム栓が配置されており、液体収容袋１３内のインクが漏れないように封止されている。
【００３２】
本体部７１１の前側の先端部７１３は、軸線Ｘ方向に延びる円筒状である。先端部７１３の後側には、支持部７２と第一載置部７４とが設けられている。支持部７２は、取付部８０を支持する部位である。支持部７２は、平面部７２１、支持腕７３、凸部７２８、及び円筒部７２４を備える。平面部７２１は、本体部７１１の上面に設けられた平面部である。円筒部７２４は、本体部７１１の右側に設けられ、上下方向に延びる。円筒部７２４の先端部７２６は、先端部７２６より下側の部位の径より小さい。円筒部７２４は、上面から下方に向かうネジ溝７２５を備えている。凸部７２８は、平面部７２１の左部に設けられている。凸部７２８は、上方に突出し、上端が丸みを有した円柱部である。
【００３３】
支持腕７３は、前後方向に互いに対向する第一腕部７３１と第二腕部７３２とを備えている。第一腕部７３１及び第二腕部７３２は、本体部７１１から左方に突出し、左端が上方に延びる。第一腕部７３１の左上端には、第二腕部７３２側である後側に延びる壁部７３３が設けられている。第二腕部７３２の左上端には、第一腕部７３１側である前側に延びる壁部７３４が設けられている。支持部７２が取付部８０を支持する態様については後述する。
【００３４】
図９及び図１０に示すように、第一載置部７４は、口栓７０の外側の面に設けられている。より詳細には、本体部７１１における先端部７１３の後側の下部から、平面視矩形状の周囲を形成する壁部７４１が突出する。第一載置部７４は、壁部７４１の下端であり、第一突出部８３と第二突出部８５とが対向する左右方向に延びる平面部である。
【００３５】
図９に示すように、口栓７０において、第一載置部７４に対して軸線Ｘ方向の後側には、第二載置部７５が設けられている。第二載置部７５は、本体部７１１の周囲が径方向外側に突出することで形成されている。第二載置部７５の下端が、後述する第二支持部３４７（図１５参照）によって支持される。口栓７０において、第二載置部７５の後側には、接続部７６が設けられている。接続部７６は、周囲に径方向に突出する凸部７６１を複数備える。図６に示すように、接続部７６がシート１３Ａとシート１３Ｂとに挟まれ、且つシート１３Ａとシート１３Ｂとが接続部７６に熱溶着されることで、本体部７１１が液体収容袋１３に固定されている。
【００３６】
取付部８０について説明する。図９に示すように、取付部８０は、口栓７０とは別体で形成され、口栓７０に取り付けられる部材である。取付部８０は、土台部８１、第一突出部８３、第二突出部８５、及び壁部８７を備えている。取付部８０は、第一姿勢（図７〜図１０参照）と、第二姿勢（図１２及び図１３参照）との間で切り替え可能である。図７〜図１０に示す取付部８０の第一姿勢は、第一突出部８３が口栓７０に対して右側に位置し、第二突出部８５が口栓に対して左側に位置する姿勢である。図１２及び図１３に示す取付部８０の第二姿勢は、第一突出部８３が口栓７０に対して左側に位置し、第二突出部８５が口栓７０に対して左側に位置する姿勢である。以下の説明では、第一姿勢の取付部８０について説明する。
【００３７】
図９に示すように、土台部８１は、左右方向に延びる平面視矩形状であり、上面がやや下方に凹んだ板状部である。土台部８１の前部及び後部には、左右方向に亘って上方に突出する凸部８１８が設けられている。凸部８１８は、後述するホルダ９０を位置決めする。
【００３８】
壁部８７は、土台部８１の上面中央を平面視矩形状に取り囲み、突出方向の反対方向である上方に延びる。壁部８７のうち、左右一対の壁部を延伸壁部８７１，８７２という。左側の延伸壁部８７１の下端部には、左側面視矩形状の開口部である係合開口部８７３が設けられている。右側の延伸壁部８７２の下端部には、右側面視矩形状の開口部である係合開口部８７４が設けられている。後述する一対のホルダ爪９１５は、係合開口部８７３，８７４に係合する。
【００３９】
土台部８１には、係合開口部８７３，８７４に夫々連接され、土台部８１を上下方向に貫通する平面視矩形状の矩形孔部８１１、８１２が設けられている。土台部８１の左部には、土台部８１を上下方向に貫通する平面視円形の係合孔部８１３が設けられている。矩形孔部８１１と係合孔部８１３との間には、土台部８１を上下方向に貫通し、矩形孔部８１１と係合孔部８１３とを左右方向に連通する連通部８１５が設けられている。土台部８１の右部には、土台部８１を上下方向に貫通する平面視円形の係合孔部８１４が設けられている。矩形孔部８１２と係合孔部８１４との間には、土台部８１を上下方向に貫通し、矩形孔部８１２と係合孔部８１４とを左右方向に連通する連通部８１６（図１０参照）が設けられている。
【００４０】
第一突出部８３は、土台部８１の右端部に接続されている。第一突出部８３は、右面が上下方向に亘って左方に凹んだ凹部８３７を備える壁部である。図８及び図９に示すように、第一突出部８３は、延伸部８３１，８３２，８３３、及び２つの第一係合爪８３４を備えている。延伸部８３１は、土台部８１の右端部から下方に延びる。取付部８０が口栓７０に取り付けられた状態において、延伸部８３１の下端の上下方向の位置は、口栓７０の本体部７１１の前面視中央と略同じ位置である（図８及び図１０参照）。
【００４１】
延伸部８３２は、延伸部８３１の下端から右斜め下方に延びる。取付部８０が口栓７０に取り付けられた状態において、延伸部８３２の下端の上下方向の位置は、壁部７４１の上下方向中央の位置である（図１０参照）。延伸部８３３は、延伸部８３２の下端から下方に延びる。取付部８０が口栓７０に取り付けられた状態において、延伸部８３３の下端の上下方向の位置は、第一載置部７４より下方である（図１０参照）。
【００４２】
２つの第一係合爪８３４は、延伸部８３３の下端部における前後の端部の夫々から右方に突起する（図８〜図１０参照）。第一係合爪８３４は、ケース３２の支持壁部３４における外面３４５のうち、溝部３６２（後述）に係合する（図１０参照）。
【００４３】
図８及び図９に示すように、第二突出部８５は、土台部８１の左端部に接続されている。第二突出部８５は、板状部材によって形成されており、口栓７０に向かう右方向に弾性変形する。第二突出部８５は、突出方向に延び、突出方向の端部で屈曲して反対側である上側に延びる。より詳細には、第二突出部８５は、延伸部８５１，８５２，８５３、突出部８５４、湾曲部８５５、及び２つの第二係合爪８５６を備えている。延伸部８５１は、土台部８１の左端部から下方に延びる。湾曲部８５５は、延伸部８５１の下端から弧状に左方に湾曲する。湾曲部８５５の下端は、第二突出部８５の下端を形成する。第二突出部８５の下端の上下方向の位置は、第一突出部８３の延伸部８３３の上端の位置と略同じである（図８及び図１０参照）。即ち、第二突出部８５の突出方向の長さは、第一突出部８３の突出方向の長さより短い。このため、図８に示すように、上下方向において、口栓７０の先端部７１３の正面視中央から第二突出部８５の下端までの長さＬ２が、口栓７０の先端部７１３の正面視中央から第一突出部８３の下端までの長さＬ１より短くなる。
【００４４】
図８及び図９に示すように、延伸部８５２は、湾曲部８５５の左端から左斜め上方に延びる。延伸部８５２の上端の上下方向の位置は、口栓７０の本体部７１１の前面視中央よりやや上側である（図８参照）。延伸部８５３は、延伸部８５２の上端から上方に延びる。延伸部８５３の上端の上下方向の位置は、土台部８１の上下方向中央の位置よりやや上側である（図８参照）。突出部８５４は、延伸部８５３の上端から左方に突出する。
【００４５】
２つの第二係合爪８５６は、延伸部８５２の上端の前後の端部から左方に突起する。第二係合爪８５６は、ケース３２の第二開口部３９１（後述）の内側に係合する（図１０参照）。図８に示すように、第一突出部８３と第二突出部８５とが対向する左右方向において、口栓７０の本体部７１１及び第一載置部７４（図１０参照）は、第一係合爪８３４からの距離と第二係合爪８５６からの距離とが同じ距離Ｌ３となる位置を含む。即ち、口栓７０及び第一載置部７４は、第一係合爪８３４と第二係合爪８５６との間の中心位置を含む位置に設けられている。
【００４６】
図９に示すように、ネジ９９は、頭部９９１と軸部９９２とを備えている。電気基板９８は、平面視略矩形状の板状である。電気基板９８の底面には、電子部品９８１が実装されている（図１０参照）。電子部品９８１は、例えば、液体収容体３１に収容されているインクの種類等が記憶されるメモリ等を含む。電気基板９８の上面には、図示しない複数の電極が設けられている。
【００４７】
ホルダ９０について説明する。図７に示すように、ホルダ９０は、電気基板９８を保持し、取付部８０における突出方向の反対方向側である上側に装着される。図９及び図１１に示すように、ホルダ９０は、上壁部９１、周壁部９２、ホルダ係合部９１２，９１３（図１１参照）、延伸部９３、及び突起部９４を備えている。上壁部９１は、左右方向に長い平面視矩形状であり、ホルダ９０の上面を形成する。上壁部９１の左右方向中央部には、上壁部９１を上下方向に貫通するホルダ開口部９１１が設けられている。ホルダ開口部９１１は、平面視で矩形状の四隅が内側に突出した形状を有する。ホルダ開口部９１１は、電気基板９８の上面を露出させる（図７参照）。
【００４８】
周壁部９２は、上壁部９１の周囲から下方に延びる壁部である。図１１に示すように、ホルダ係合部９１２，９１３は、ホルダ開口部９１１の左右一対の端部から、突出方向である下方に延びる係合部である。左側のホルダ係合部９１２の先端には、ホルダ係合部９１３側である右側に突出する爪部であるホルダ爪９１４が設けられている。右側のホルダ係合部９１３の先端には、ホルダ係合部９１２側である左側に突出する爪部であるホルダ爪９１５が設けられている。
【００４９】
延伸部９３は、上壁部９１の後端から、軸線Ｘ方向のうち後側に延びる板状部である。延伸部９３の平面視中央部には、矩形状に延伸部９３を貫通する貫通孔９３１が設けられている。貫通孔９３１が設けられていることよって、貫通孔９３１が設けられていない場合に比べ、延伸部９３が湾曲し易くなる。突起部９４は、延伸部９３の後端から、突出方向の反対方向側である上側に突起する。
【００５０】
口栓ユニット７の組み立て態様について説明する。本実施形態では、液体収容袋１３に収容されているインクが、カラーインクである場合、取付部８０が第一姿勢に設定される。液体収容袋１３に収容されているインクが白インクである場合、取付部８０が第二姿勢に設定される。口栓ユニット７の組み立ては、例えば、液体収容体３１の生産工場において行われる。
【００５１】
図９及び図１０を参照して、取付部８０が第一姿勢に設定される場合の組み立て態様について説明する。まず、取付部８０が口栓７０の支持部７２に配置される。詳細には、土台部８１の底面が、口栓７０の平面部７２１に支持される。土台部８１に接続された第二突出部８５の延伸部８５１の上端が、第一腕部７３１と第二腕部７３２とに挟まれた位置、且つ、壁部７３３と壁部７３４との下側の位置に配置される。連通部８１５に凸部７２８が挿通される。円筒部７２４の先端部７２６が、土台部８１の係合孔部８１４に挿通される。ネジ９９が土台部８１の上側から円筒部７２４のネジ溝７２５と締結される。円筒部７２４における先端部７２６より下側の部位と、ネジ９９の頭部９９１との間で土台部８１が挟まれ、土台部８１が支持部７２に固定される。以上のように、取付部８０が口栓７０の支持部７２に配置される。
【００５２】
電気基板９８がホルダ９０のホルダ開口部９１１の下側に配置され、ホルダ係合部９１２とホルダ係合部９１３との間で保持される（図１１参照）。電気基板９８を保持したホルダ９０が、土台部８１の上側に配置される。このとき、図１０に示すように、ホルダ９０のホルダ係合部９１２が、取付部８０の延伸壁部８７１の左側に配置され、且つ、ホルダ爪９１４が、係合開口部８７３に係合する。ホルダ９０のホルダ係合部９１３が、取付部８０の延伸壁部８７２の右側に配置され、且つ、ホルダ爪９１５が、係合開口部８７４に係合する。電気基板９８は、上壁部９１の底面と壁部８７（図９参照）の上端との間で挟持される。これによって、図７、図８、及び図９に示すように、取付部８０が第一姿勢の口栓ユニット７の完成体が得られる。
【００５３】
取付部８０が第二姿勢に設定される場合の組み立て態様について説明する。図１２及び図１３に示すように、取付部８０が第二姿勢に設定される場合、図９に示す取付部８０が左右方向に反転して口栓７０に取り付けられる。まず、取付部８０が口栓７０の支持部７２（図９参照）に配置される。詳細には、土台部８１の底面が、口栓７０の平面部７２１（図９参照）に支持される。土台部８１に接続された第一突出部８３の延伸部８３１の上端が、第一腕部７３１と第二腕部７３２とに挟まれた位置、且つ、壁部７３３と壁部７３４との下側の位置に配置される。連通部８１６に凸部７２８が挿通される。円筒部７２４の先端部７２６が、土台部８１の係合孔部８１３に挿通される。ネジ９９が土台部８１の上側から円筒部７２４のネジ溝７２５と締結される。円筒部７２４における先端部７２６より下の部位と、ネジ９９の頭部９９１との間で土台部８１が挟まれ、土台部８１が支持部７２に固定される。以上のように、取付部８０が口栓７０の支持部７２に配置される。
【００５４】
第一姿勢の場合と同様に、電気基板９８を保持したホルダ９０が、土台部８１の上側に配置される。このとき、図１３に示すように、ホルダ９０のホルダ係合部９１２が、取付部８０の延伸壁部８７２の左側に配置され、且つ、ホルダ爪９１４が、係合開口部８７４に係合する。ホルダ９０のホルダ係合部９１３が、取付部８０の延伸壁部８７１の右側に配置され、且つ、ホルダ爪９１５が、係合開口部８７３に係合する。これによって、図１２に示すように、取付部８０が第二姿勢の口栓ユニット７の完成体が得られる。
【００５５】
ケース３２について説明する。図４及び図５に示すように、ケース３２は、第一ケース３３と第二ケース４０とを含む。第一ケース３３は、液体収容体３１を支持する。第二ケース４０は、第一ケース３３の上側に配置され、第一ケース３３に対して着脱可能である。
【００５６】
第一ケース３３について詳述する。図１４に示すように、第一ケース３３は、支持壁部３４、左壁部３３２、右壁部３３３、後壁部３３４を備えている。支持壁部３４は、液体収容体３１を支持する平面視矩形状の壁部であり、軸線Ｘ方向である前後方向に延びる。左壁部３３２、右壁部３３３、及び後壁部３３４は、夫々、支持壁部３４の左端部、右端部、及び後端部から上方に延びる。第一ケース３３の前端部には壁部が設けられておらず、開口している。
【００５７】
支持壁部３４の前端部における左右方向中央には、平面視矩形状に後方に向かって凹んだ凹部３４１が設けられている。支持壁部３４における液体収容体３１側である上側の面を内面３４４という。支持壁部３４における内面３４４の反対側の面を外面３４５という。外面３４５には、２つの溝部３６１，３６２が設けられている。２つの溝部３６１，３６２は、支持壁部３４から液体収容体３１に向かう方向である上方向に凹み、軸線Ｘ方向に延びる。溝部３６１は、凹部３４１の左側に設けられ、支持壁部３４の前端から後端のやや前側まで延びる。溝部３６２は、凹部３４１の右側に設けられ、支持壁部３４の前端から後端のやや前側まで延びる。内面３４４における溝部３６１，３６２の上側の部位は、外面３４５に溝部３６１，３６２が設けられることによって、上方に突出している。
【００５８】
図１０及び図１５に示すように、溝部３６１，３６２の前部には、夫々、第一開口部３７１，３７２が設けられている。言い換えると、第一開口部３７１，３７２は、支持壁部３４における軸線Ｘ方向の一端側である前部に設けられている。第一開口部３７１，３７２は、支持壁部３４を上下方向に貫通する平面視矩形状の開口部である。２つの第一開口部３７１，３７２のうち、一方の第一開口部３７２は、取付部８０が第一姿勢にある場合における第一突出部８３に対応する位置に設けられている（図１０参照）。他方の第一開口部３７１は、取付部８０が第二姿勢にある場合における第一突出部８３に対応する位置に設けられている（図１３参照）。液体収容体３１が第一ケース３３に装着された場合、第一突出部８３が第一開口部３７１又は第一開口部３７２から突出する（図１０及び図１３参照）。
【００５９】
図１５に示すように、溝部３６１，３６２における内面３４４側には、開口壁部３８１，３８２が上方に向けて設けられている。溝部３６１側の開口壁部３８１は、右側に、右側面視矩形状の第二開口部３９１を備えている（図１０及び図１５参照）。溝部３６２側の開口壁部３８２は、左側に、左側面視矩形状の第二開口部３９２を備えている。第一開口部３７１，３７２は、夫々、第二開口部３９１，３９２の内側に位置している（図１０及び図１５参照）。
【００６０】
２つの開口壁部３８１，３８２のうち、一方の開口壁部３８１は、取付部８０が第一姿勢にある場合における第二突出部８５に対応する位置に設けられている（図１０参照）。他方の開口壁部３８２は、取付部８０が第二姿勢にある場合における第二突出部８５に対応する位置に設けられている（図１３参照）。
【００６１】
支持壁部３４において凹部３４１の後側、且つ、左右方向における溝部３６１と溝部３６２との間には、平面である第一支持部３４６が設けられている。第一支持部３４６は、口栓ユニット７の第一載置部７４を支持する部位である（図１０及び図１３参照）。
【００６２】
第一支持部３４６の後側には、口栓７０の第二載置部７５を支持する第二支持部３４７が設けられている。第二支持部３４７は、支持壁部３４から上方に延びる左右方向に長い壁部であり、その上端が正面視Ｕ字状に下方に凹んでいる。第二支持部３４７の前後方向中央部には、左右方向に亘って下方に凹んだ凹部３４８が設けられている。第二支持部３４７の凹部３４８に、口栓７０の第二載置部７５の下端が配置されることで、口栓７０が支持される（図１６参照）。
【００６３】
第二ケース４０について説明する。図４に示すように、第二ケース４０は、上壁部４０１、左壁部４０２、及び右壁部４０３を備えている。上壁部４０１は、支持壁部３４に上下方向に対向し、軸線Ｘ方向である前後方向に延びる。左壁部４０２及び右壁部４０３は、夫々、上壁部４０１の左端部及び右端部から下方に延びる。第二ケース４０の前端部には壁部は設けられておらず、開口している。また、第二ケース４０の後端部には壁部は設けられておらず、開口している。第二ケース４０が第一ケース３３に装着された場合、左壁部４０２及び右壁部４０３は、夫々、左壁部３３２及び右壁部３３３の外側に位置する。
【００６４】
ケース３２に液体収容体３１を装着し、カートリッジ装着部８に装着する態様について説明する。例えば、カートリッジ３の生産工場においてカートリッジ３が生産される場合に、また、プリンタ１を使用する工場又は家庭において、液体収容体３１がケース３２に装着される。また、例えば、プリンタ１を使用する工場又は家庭において、カートリッジ３内の液体収容体３１を交換する場合に、使用済みの液体収容体３１がケース３２から取り外された後、新たな液体収容体３１がケース３２に装着される。
【００６５】
取付部８０が第一姿勢に設定された液体収容体３１がケース３２に装着される場合について説明する。作業者は、液体収容体３１の口栓ユニット７を把持し、指で第二突出部８５の突出部８５４の左面を右側に押し、第二突出部８５を口栓７０側に弾性変形させる。そして、第一ケース３３の上方から、液体収容体３１を第一ケース３３に配置する。このとき、図１０に示すように、第一突出部８３は第一開口部３７２から下方に突出し、下端部が溝部３６２内に配置される。第一突出部８３の第一係合爪８３４が、溝部３６２における外面３４５側に係合する。第一載置部７４及び第二載置部７５が、夫々、第一支持部３４６及び第二支持部３４７に支持される。第二突出部８５の第二係合爪８５６が、第二開口部３９１に係合する。第二突出部８５は、弾性変形した状態で第二開口部３９１に係合する。これによって、液体収容体３１が第一ケース３３に配置される。
【００６６】
なお、第一載置部７４及び第二載置部７５が第一支持部３４６及び第二支持部３４７に支持されるので、作業者は、口栓ユニット７を下方に押し付けながら第一突出部８３と第二突出部８５とを第一ケース３３に係合させることができる。よって、第一載置部７４及び第二載置部７５の少なくとも一方が支持されない場合に比べて、容易に液体収容体３１を第一ケース３３に配置することができる。
【００６７】
取付部８０が第二姿勢（図１２参照）の場合、第一突出部８３と第二突出部８５との位置関係が、図１０に示す場合と比べて左右反転する。より詳細には、図１３に示すように、第一突出部８３は第一開口部３７１から下方に突出し、下端部が溝部３６１内に配置される。第一突出部８３の第一係合爪８３４が、溝部３６１における外面３４５側に係合する。第二突出部８５の第二係合爪８５６が、第二開口部３９２に係合する。第二突出部８５は、弾性変形した状態で第二開口部３９２に係合する。このように、取付部８０が第一姿勢と第二姿勢のどちらであっても、１種類の第一ケース３３に対して、液体収容体３１が装着される。
【００６８】
液体収容体３１が第一ケース３３に配置された後、第二ケース４０が、第一ケース３３の上側に配置される。これによって、カートリッジ３の完成体が得られる。
【００６９】
作業者は、完成したカートリッジ３をカートリッジ装着部８に装着する。作業者は、カートリッジ３を前端をカートリッジ装着部８に向けて、カートリッジ装着部８の開口部１２０Ａ〜１２０Ｆ（図３参照）のいずれかに挿入する。液体収容袋１３内の液体がカラーインクである場合、図１０に示すように、取付部８０が第一姿勢であり、第一ケース３３における第一開口部３７２から第一突出部８３が突出する。このため、溝部３６２に第一突出部８３が位置する。一方、溝部３６１には、第一突出部８３が位置しない。よって、カートリッジ３がカラーインクを配置する開口部１２０Ａ〜１２０Ｄ（図３参照）のいずれかから挿入された場合、突起部１２１が溝部３６１内に配置され、カートリッジ３が位置決めされつつ、スムーズに挿入される。なお、図１０には、溝部３６１内に配置される突起部１２１を点線で示している。
【００７０】
作業者が誤ってカートリッジ３を白インクを配置する開口部１２０Ｅ又は開口部１２０Ｆ（図３参照）から挿入した場合、突起部１２２が溝部３６２内に配置され、挿入時に第一突出部８３に当接する。このため、作業者は、カートリッジ３を開口部１２０Ｅ，１２０Ｆに挿入することができない。よって、カートリッジ３は、カラーインクが収容された液体収容体３１が装着されたカートリッジ３を、作業者が誤って開口部１２０Ｅ，１２０Ｆからカートリッジ装着部８に装着することを制限できる。なお、図１０には、溝部３６２内に配置され、第一突出部８３に当接する突起部１２２を点線で示している。
【００７１】
また、白インクを収容した液体収容体３１をケース３２に装着すべきところ、作業者が誤ってカラーインクを収容した液体収容体３１をケース３２に装着する場合がある。この場合においても、取付部８０が第一姿勢であり、第一ケース３３における第一開口部３７２から第一突出部８３が突出する。よって、白インクを配置する開口部１２０Ｅ又は開口部１２０Ｆ（図３参照）からカートリッジ３を挿入した場合、突起部１２２が溝部３６２内に配置され、挿入時に第一突出部８３に当接する。このため、作業者は、カートリッジ３を開口部１２０Ｅ，１２０Ｆに挿入することができず、白インクではない液体収容体３１を誤ってケース３２に装着したことに気づくことができる。よって、カートリッジ３は、作業者が誤った種類の液体収容体３１をケース３２に装着することを制限できる。
【００７２】
液体収容袋１３内の液体が白インクである場合、図１３に示すように、取付部８０が第二姿勢であり、第一ケース３３における第一開口部３７１から第一突出部８３が突出する。このため、溝部３６１に第一突出部８３が位置する。一方、溝部３６２には、第一突出部８３が位置しない。よって、カートリッジ３が白インクを配置する開口部１２０Ｅ又は開口部１０２Ｆ（図３参照）から挿入された場合、突起部１２２が溝部３６２内に配置され、カートリッジ３が位置決めされつつ、スムーズに挿入される。なお、図１３には、溝部３６２内に配置される突起部１２２を点線で示している。
【００７３】
作業者が誤ってカートリッジ３をカラーインクを配置する開口部１２０Ａ〜１２０Ｄ（図３参照）のいずれかから挿入した場合、突起部１２１が溝部３６１内に配置され、挿入時に第一突出部８３に当接する。このため、カートリッジ３を開口部１２０Ａ〜１２０Ｄに挿入することができない。よって、カートリッジ３は、白インクが収容された液体収容体３１が装着されたカートリッジ３を、作業者が誤って開口部１２０Ａ〜１２０Ｄからカートリッジ装着部８に装着することを制限できる。なお、図１３には、溝部３６１内に配置され、第一突出部８３に当接する突起部１２１を点線で示している。
【００７４】
また、カラーインクを収容した液体収容体３１をケース３２に装着すべきところ、作業者が誤って白インクを収容した液体収容体３１をケース３２に装着する場合がある。この場合においても、取付部８０が第二姿勢であり、第一ケース３３における第一開口部３７１から第一突出部８３が突出する。よって、カラーインクを配置する開口部１２０Ａ〜１２０Ｄ（図３参照）からカートリッジ３を挿入した場合、突起部１２１が溝部３６１内に配置され、挿入時に第一突出部８３に当接する。このため、作業者は、カートリッジ３を開口部１２０Ａ〜１２０Ｄに挿入することができず、カラーインクではない液体収容体３１を誤ってケース３２に装着したことに気づくことができる。よって、カートリッジ３は、作業者が誤った種類の液体収容体３１をケース３２に装着することを制限できる。
【００７５】
図１６に示すように、カートリッジ３がカートリッジ装着部８に装着されると、カートリッジ３の前端の開口部からカートリッジ３の内部に配置されたカートリッジ装着部８の係合部１０５が、ホルダ９０の突起部９４に係合する。これによって、カートリッジ装着部８においてカートリッジ３の後方への移動が制限される。なお、カートリッジ装着部８の係合部１０５（図１６参照）に突起部９４が係合する過程において、係合部１０５に対して延伸部９３が下方に湾曲し、係合部１０５との係合がスムーズに行われる。
【００７６】
また、カートリッジ装着部８に設けられた電極（図示略）がホルダ開口部９１１から露出する電気基板９８（図７参照）の上面の電極（図示略）に当接し、プリンタ１のＣＰＵ（図示略）と電子部品９８１（図１０参照）とが電気的に接続される。このため、プリンタ１のＣＰＵは、例えば、インクの種類を特定できる。また、液体収容体３１の中空部７１２内に配置されたゴム栓（図示外）に、液体収容体３１から液体を導出するための中空針１０６が刺さる。中空針１０６にはインクが流通する孔が設けられており、液体収容袋１３内のインクは、中空針１０６を通ってヘッド部（図示略）に供給される。
【００７７】
以上のように、本実施形態におけるカートリッジ３が形成され、カートリッジ装着部８に装着される。本実施形態では、図８及び図１２に示すように、口栓７０を挟んで対向する第一突出部８３と第二突出部８５が設けられ、第二突出部８５の長さが第一突出部８３より短い。このため、口栓７０を中心にして、長さの異なる第一突出部８３と第二突出部８５との位置関係を確認することで、２つの種類の液体を判別することができる。本実施形態では、図８に示すように、口栓７０から見て右側が第一突出部８３、左側が第二突出部８５である場合、液体収容袋１３にはカラーインクが収容されている。また、図１２に示すように、口栓７０から見て右側が第二突出部８５、左側が第一突出部である場合、液体収容袋１３には白インクが収容されている。作業者は、口栓７０と２つの突出部８３，８５の位置関係を確認し、口栓７０から見て左側の突出部が短ければ、カラーインクが収容されていることを判別できる。また、作業者は、口栓７０から見て右側の突出部が短ければ、白インクが収容されていることを判別できる。また、第一突出部８３と第二突出部８５の長さの差を変えることで、複数種類の液体を判別することができる。
【００７８】
また、液体収容体３１を第一ケース３３に装着する場合、作業者は、口栓７０を把持して第一突出部８３と第二突出部８５とを第一ケース３３に係合させる。本実施形態では、把持した口栓７０を確認することで、容易にインクの種類を判別することができる。このため、例えば、液体収容袋１３にインクの種類を示すラベルを貼り付ける必要が無く、また、液体収容袋１３にインクの種類を示すラベルが貼り付けられている場合に、ラベルを確認する作業をしなくてもよい。よって、作業者は、液体収容体３１の口栓７０を把持し、インクの種類を確認して第一ケース３３に装着する一連の作業を容易に行うことができる。
【００７９】
また、第一突出部８３と第二突出部８５とは、液体であるインクの種類を判別可能にする部位であり、且つ、第一ケース３３に係合する部位である。故に、インクの種類を判別可能にする部位と第一ケース３３に係合する部位とを別々に設ける場合に比べてコストダウンすることができる。
【００８０】
また、第二突出部８５が単に軸線Ｘ方向に交わる方向に直線状に延びる壁部であるのではなく、軸線Ｘ方向に交わる方向（本実施形態では、下方向）の端部で屈曲して反対側（上側）に延びる構造を有するので、作業者が第二突出部８５に着目し易い。故に、作業者は液体収容袋１３に収容された２つの種類の液体である白インクとカラーインクとを容易に判別することができる。
【００８１】
また、図７に示すように、第一突出部８３と第二突出部８５とが対向する左右方向に延びる平面部である第一載置部７４が設けられているので、左右方向に延びる第一載置部７４の上下方向の位置を基準にして、第一突出部８３と第二突出部８５との長さを確認できる。故に、平面部である第一載置部７４が設けられていない場合に比べて、作業者は第一突出部８３と第二突出部８５との長さの差を確認し易い。故に、作業者は、さらに容易に、液体の種類を判別することができる。
【００８２】
また、平面部である第一載置部７４が設けられているので、第一載置部７４によって口栓７０を支持することができる。故に、液体収容体３１を、カートリッジ３の第一ケース３３に装着した時に、第一載置部７４が第一ケース３３に支持され、液体収容体３１の姿勢が安定する。よって、第一ケース３３に第一載置部７４が支持された状態でも、作業者は第一突出部８３と第二突出部８５との長さの差を確認し易い。故に、作業者は、容易に、液体の種類を判別することができる。
【００８３】
また、取付部８０は、第一姿勢と第二姿勢とにおいて口栓７０に係合する部位である係合孔部８１３，８１４を備えている。このため、１種類の取付部８０を用いて、口栓７０に係合する姿勢を第一姿勢と第二姿勢との間で切り替えることで、口栓７０に対する第一突出部８３と第二突出部８５との位置関係を切り替えることができる。よって、液体の種類を判別することができる２種類の液体収容体３１を容易に製造することができる。また、第一突出部８３と第二突出部８５とが口栓７０と一体的に形成され、第一突出部８３と第二突出部８５とを入れ替えた２種類の口栓７０を製造する場合に比べて、コストダウンすることができる。
【００８４】
図８に示すように、取付部８０が第一姿勢である場合における第一突出部８３と口栓７０との間の距離、より詳細には、第一突出部８３の左右方向の中心と口栓７０の右端部との間の距離を、第一距離Ｌ４とする。取付部８０が第一姿勢である場合における第二突出部８５と口栓７０との間の距離、より詳細には、第二突出部８５の左右方向の中心と、口栓７０の左端部との間の距離を第二距離Ｌ５とする。図１２に示すように、取付部８０が第二姿勢である場合、第一突出部８３は、口栓７０からの距離が第二距離Ｌ５となる位置を含む。第二突出部８５は、口栓７０からの距離が第一距離Ｌ４となる位置を含む。
【００８５】
このため、取付部８０が第一姿勢と第二姿勢との間で切り替わっても、２つの突出部８３，８５とが対向する左右方向において、口栓７０と２つの突出部８３，８５との位置関係が略同じである。故に、作業者は、２つの突出部８３，８５が対向する左右方向における、口栓７０と２つの突出部８３，８５の位置関係を考慮することなく、２つの突出部８３，８５の突出方向の長さの違いに着目することができる。故に、作業者は、第一突出部８３と第二突出部８５との長さの違いに着目し易くなり、液体収容体３１に収容されたインクの種類を容易に判別できる。
【００８６】
また、第一突出部８３が第一開口部３７１，３７２から突出する（図１０及び図１３参照）。例えば、図１０に示すように、取付部８０が第一姿勢である場合、第一ケース３３における右側の第一開口部３７２から第一突出部８３が突出する。作業者は、第一開口部３７２から突出する第一突出部８３を、第一ケース３３の外側から目視で確認することで、カラーインクが充填された液体収容体３１が内側に配置されたカートリッジ３であることを確認できる。図１３に示すように、取付部８０が第二姿勢である場合、第一ケース３３における左側の第一開口部３７１から第一突出部８３が突出する。作業者は、第一開口部３７１から突出する第一突出部８３を、第一ケース３３の外側から目視で確認することで、白インクが充填された液体収容体３１が内側に配置されたカートリッジ３であることを確認できる。このように、第一ケース３３から突出する第一突出部８３の位置を確認することで、液体収容袋１３に収容されたインクの種類を判別できる。よって、作業者は、第二ケース４０を第一ケース３３から取り外してインクの種類を確認する必要がない。
【００８７】
また、図１０及び図１３に示すように、第一開口部３７１，３７２から突出する第一突出部８３及び第一係合爪８３４は、溝部３６１，３６２に配置される。このため、第一突出部８３及び第一係合爪８３４が支持壁部３４の下端から下方に突出しない。故に、カートリッジ３が机等の平面に置かれた場合に、第一突出部８３及び第一係合爪８３４が平面に接触しない。このため、カートリッジ３が平面に置かれた場合に第一突出部８３又は第一係合爪８３４が平面に当たり、第一突出部８３又は第一係合爪８３４が破損する可能性を低減できる。故に、第一突出部８３が破損することで液体収容袋１３に収容されたインクの種類が判別できなくなる可能性を低減できる。また、第一係合爪８３４が破損し、第一係合爪８３４と第一ケース３３との係合が解除される可能性を低減できる。故に、液体収容体３１が第一ケース３３から外れる可能性を低減できる。また、第一突出部８３又は第一係合爪８３４が机等の平面に当たり、カートリッジ３の姿勢が安定しなくなる可能性を低減できる。
【００８８】
また、第二突出部８５が第二開口部３９１，３９２に係合するので、第二突出部８５が第二開口部３９１，３９２に係合しない場合に比べて、液体収容体３１が第一ケース３３から外れに難くなる。また、第二突出部８５は、板状に形成されて軸線方向に直交する方向である下方向に延び、下端部で屈曲して反対側に延びる構造を有するので、弾性変形可能である。このため、弾性力を発揮した状態で、第二突出部８５が第二開口部３９１，３９２に係合可能である。よって、第二突出部８５が弾性変形しない場合に比べて液体収容体３１が第一ケース３３から外れ難くなる。液体収容体３１が第一ケース３３から外れ難くなるので、第一突出部８３がより確実に第一開口部３７１，３７２から突出する。故に、第一突出部８３が第一開口部３７１，３７２から突出せず、液体の種類が判別できなくなる可能性を低減できる。
【００８９】
また、本実施形態では、第一係合爪８３４及び第二係合爪８５６が設けられているので、第一係合爪８３４及び第二係合爪８５６が設けられていない場合に比べて、液体収容体３１が第一ケース３３から外れ難くなる。このため、第一突出部８３がより確実に第一開口部３７１，３７２から突出する。故に、第一突出部８３が第一開口部３７１，３７２から突出せず、液体収容袋１３に収容されているインクの種類が判別できなくなる可能性を低減できる。
【００９０】
また、図１０に示すように、口栓７０及び第一載置部７４は、第一係合爪８３４と第二係合爪８５６との間の中心位置を含む位置に設けられている。このため、口栓７０又は第一載置部７４が、第一係合爪８３４と第二係合爪８５６との間の中心位置を含まない位置に設けられている場合に比べて、第一係合爪８３４と第二係合爪８５６とに作用する口栓７０を保持する力がより均等に分散される。このため、口栓７０が斜めに傾き難く、第一係合爪８３４と第一ケース３３との係合、及び第二係合爪８５６と第一ケース３３との係合が解除される可能性を低減できる。故に、液体収容体３１が第一ケース３３から外れる可能性を低減できる。よって、第一突出部８３はより確実に第一開口部３７１，３７２から突出する。故に、第一突出部８３が第一開口部３７１，３７２から突出せず、インクの種類が判別できなくなる可能性を低減できる。
【００９１】
また、２つの第一開口部３７１，３７２は、取付部８０が第一姿勢又は第二姿勢にある場合における第一突出部８３に対応する位置に設けられている。２つの開口壁部３８１，３８２は、取付部８０が第一姿勢又は第二姿勢にある場合における第二突出部８５に対応する位置に設けられている。このため、１種類の取付部８０について、口栓７０に係合する姿勢を第一姿勢と第二姿勢との間で切り替えることで、口栓７０に対する第一突出部８３と第二突出部８５との位置関係を切り替え、口栓７０を第一ケース３３に装着することができる。また、取付部８０が第一姿勢と第二姿勢のどちらであっても、第一突出部８３が第一開口部３７１，３７２から突出する。故に、第一開口部３７１，３７２から突出する第一突出部８３を確認することで、インクの種類を判別することができる。
【００９２】
また、第一突出部８３と第二突出部８５とが、口栓７０を挟んだ位置で第一ケース３３に係合する。故に、例えば、１つの係合突起が口栓から突起してケースの係合孔に係合する場合に比べて、口栓７０と第一ケース３３との係合が解除される可能性を低減できる。さらに、第二突出部８５が弾性力を発揮した状態で、第二突出部８５と第二開口部３９１，３９２とが係合する。このため、第二突出部８５が弾性変形しない状態で第二開口部３９１，３９２と係合する場合に比べて、第二突出部８５、口栓７０、及び第一突出部８３が並ぶ左右方向に口栓７０がずれ難く、第一突出部８３と第一開口部３７１，３７２との係合、及び、第二突出部８５と第二開口部３９１，３９２との係合が解除され難い。故に、液体収容体３１が第一ケース３３から外れる可能性を低減できる。
【００９３】
また、第一係合爪８３４が支持壁部３４の外面３４５に係合する。このため、第一係合爪８３４が設けられていない場合に比べて、支持壁部３４から離れる方向である上方向に口栓７０が移動して第一係合爪８３４と第一開口部３７１，３７２との係合が解除される可能性を低減できる。故に、口栓７０が支持壁部３４から浮いてしまう可能性を低減できる。また、第二係合爪８５６が開口壁部３８１，３８２と係合する。このため、第二係合爪８５６が設けられていない場合に比べて、第二突出部８５と開口壁部３８１，３８２との係合が解除される可能性を低減できる。故に、液体収容体３１が第一ケース３３から外れる可能性を低減できる。
【００９４】
また、第一載置部７４と第二載置部７５の２つの載置部が設けられ、口栓７０が支持壁部３４の第一支持部３４６と第二支持部３４７との二か所で支持される。故に、一か所で支持される場合に比べて、口栓７０の姿勢が安定する。このため、第一係合爪８３４と第一ケース３３との係合、及び第二係合爪８５６と第一ケース３３との係合が解除される可能性を低減できる。故に、液体収容体３１が第一ケース３３から外れる可能性を低減できる。
【００９５】
また、取付部８０が口栓７０とは別体で形成されているので、本実施形態の口栓７０に限らず、種々の口栓に容易に取り付けることができる。また、例えば、使用済みの液体収容体３１の口栓７０から取付部８０を取り外し、新品の液体収容体３１の取付部８０として再利用することができる。このように、取付部８０が口栓７０とは別体で形成されているので、液体収容体３１がケースから外れる可能性を低減できる口栓７０周辺の構造を容易に構成できる。
【００９６】
以上のように、本実施形態では、液体収容体３１が第一ケース３３から外れる可能性を低減できるので、液体収容体３１が第一ケース３３から外れて第一ケース３３の外側から第一突出部８３の位置を確認できなくなる可能性を低減でき、液体収容袋１３に収容されたインクの種類をより確実に判別できる。
【００９７】
また、電気基板９８を保持したホルダ９０が取付部８０に対して突出方向の反対側である上側に配置されるので、電気基板９８を保持した状態の液体収容体３１を確実に第一ケース３３に装着できる。また、ホルダ係合部９１２，９１３に設けられたホルダ爪９１４，９１５が、延伸壁部８７１，８７２に設けられた係合開口部８７３，８７４に係合する。このため、ホルダ爪９１４，９１５が係合開口部８７３、８７４に係合しない場合に比べて、より確実に液体収容体３１に電気基板９８を保持させることができる。
【００９８】
また、ホルダ９０が後方に延びる延伸部９３と、延伸部９３から上側に突起する突起部９４とを備えているので、延伸部９３と突起部９４とが設けられていない場合に比べて、作業者は、ホルダ９０の向きを把握し易い。このため、ホルダ９０が取付部８０に取り付けられる場合に、ホルダ９０が誤った向きに配置される可能性を低減できる。よって、電気基板９８の向きが正しい向きになり、プリンタ１のＣＰＵと電子部品９８１とがより確実に電気的に接続される。
【００９９】
上記実施形態において、液体収容袋１３は本発明の「液体収容部」の一例である。第一突出部８３は本発明の「第一係合部」の一例である。第二突出部８５は本発明の「第二係合部」の一例である。突起部９４は本発明の「突部」の一例である。
【０１００】
なお、本発明は上記の実施形態に限定されるものではなく、種々の変更が可能である。例えば、本実施形態では、作業者は、突出部８３，８５を確認して、液体収容体３１に収容されているインクの種類を判別できる。しかし、判別できる液体の種類はインクに限らず、任意である。例えば、布帛が染められた色を脱色する抜染材と、インクとを判別できてもよい。この場合、例えば、口栓７０の右側に第一突出部８３が配置され、左側に第二突出部８５が配置された液体収容体３１に、抜染材が収容され、口栓７０の右側に第二突出部８５が配置され、左側に第一突出部８３が配置された液体収容体３１に、インクが収容されてもよい。同様に、粘度が異なる２つの種類の液体の種類を判別できてもよい。
【０１０１】
また、２つの溝部３６１，３６２が設けられていたが、少なくとも１つの溝部が設けららていればよい。また、２つの第一開口部３７１，３７２が設けられていたが、少なくとも１つの第一開口部が設けられいればよい。また、２つの第二開口部３９１，３９２が設けられていたが、少なくとも１つの第二開口部が設けられていればよい。例えば、取付部８０が第一姿勢の液体収容体３１を取り付けるケースには、第一開口部３７２、第二開口部３９１、溝部３６２が設けられていればよい。また、例えば、取付部８０が第二姿勢の液体収容体３１を取り付けるケースには、第一開口部３７１、第二開口部３９２、溝部３６１が設けられていればよい。
【０１０２】
また、溝部３６１，３６２が両方とも設けられなくてもよい。第一開口部３７１，３７２は、支持壁部３４の溝部でない部分に設けられてもよい。この場合、第一突出部８３の第一係合爪８３４は、第一開口部３７１，３７２を介して、支持壁部３４の溝部ではない外面３４５に係合してもよい。この場合、第一突出部８３が外面３４５から下方に突出する。しかし、カートリッジ装着部８の開口部１２０Ａ〜１２０Ｆに突起部１２１，１２２を設けるのはなく、下方に凹む凹部を設け、カートリッジ３を開口部１２０Ａ〜１２０Ｆに装着する場合に、第一突出部８３が凹部を通過するようにすればよい。
【０１０３】
また、取付部８０を第一姿勢と第二姿勢との間で切り替えることで、第一突出部８３と第二突出部８５との位置関係を切り替えていた。しかし、第一突出部８３と第二突出部８５とが、口栓７０とは別体の取付部８０に設けられるのではなく、口栓７０に一体的に形成されてもよい。
【０１０４】
第二突出部８５の突出方向の長さが、第一突出部８３の突出方向の長さより短ければよく、第一突出部８３と第二突出部８５との形状が、本実施形態と異なってもよい。また、第一突出部８３と第二突出部８５とは、軸線Ｘ方向に直交する方向に延びていたが、交わる方向に延びればよく、正確に直交した方向に延びなくてもよい。また、第一係合爪８３４と第二係合爪８５６とが設けられていなくてもよい。この場合、例えば、第一突出部８３と第二突出部８５とは、圧入によって第一ケース３３に係合してもよい。また、ホルダ９０が延伸部９３と突起部９４とを備えていなくてもよい。また、ホルダ９０及び電気基板９８が口栓ユニット７に設けられていなくてもよい。また、口栓７０と第一載置部７４が、左右方向において第一係合爪８３４と第二係合爪８５６との間の中心位置を含んでいたが、含まなくてもよい。また、第一載置部７４と第一支持部３４６とが設けらていなくてもよい。第二載置部７５と第二支持部３４７とが設けられていなくてもよい。また、第二ケース４０が設けられなくてもよい。
【０１０５】
また、液体収容体３１及びカートリッジ３は、プリンタ１以外の装置に装着されて使用されてもよい。また、液体収容体３１はプリンタ１又はそれ以外の装置に装着されることなく使用されてもよい。
【０１０６】
また、図８及び図１３の第一距離Ｌ４及び第二距離Ｌ５に示すように、取付部８０が第一姿勢と第二姿勢との間で切り替わっても、２つの突出部８３，８５とが対向する左右方向において、口栓７０と２つの突出部８３，８５との位置関係が略同じである。この位置関係の他の例について説明する。図１７に示す口栓ユニット７０１では、図８に示す口栓ユニット７に比べて、取付部８０１の土台部８０３の右方向の長さが長く、第一突出部８３が右方に位置している。このとき、取付部８０１は第一姿勢である。土台部８０３の左右方向中央には、土台部８０３を上下方向に貫通する係合孔部８１９が設けられている。係合孔部８１９は、円筒部７２４の上側に位置する。ネジ９９によって取付部８０１が係合孔部８１９を介して口栓７０に係合されている。
【０１０７】
図１８に示すように、取付部８０１が第二姿勢になると、図１２に示す口栓ユニット７に比べて、第二突出部８５が右方に位置している。係合孔部８１９が、円筒部７２４の上側に位置する。ネジ９９（図参照）によって取付部８０１が係合孔部８１９を介して口栓７０に係合されている。なお、図示しないが、土台部８０３には、第一姿勢と第二姿勢の夫々において、凸部７２８（図９参照）が配置される孔部が設けられている。また、口栓ユニット７０１には、ホルダ９０及び電気基板９８は図示していないが、口栓ユニット７０１に設けてもよい。
【０１０８】
図１７に示すように、取付部８０１が第一姿勢である場合における第一突出部８３と口栓７０との間の距離、より詳細には、第一突出部８３の左右方向の中心と口栓７０の右端部との間の距離を、第一距離Ｌ６とする。取付部８０１が第一姿勢である場合における第二突出部８５と口栓７０との間の距離、より詳細には、第二突出部８５の左右方向の中心と、口栓７０の左端部との間の距離を第二距離Ｌ７とする。図１８に示すように、取付部８０１が第二姿勢である場合、第一突出部８３は、口栓７０からの距離が第二距離Ｌ７となる位置を含む。第二突出部８５は、口栓７０からの距離が第一距離Ｌ６となる位置を含む。
【０１０９】
このため、取付部８０が第一姿勢と第二姿勢との間で切り替わっても、２つの突出部８３，８５とが対向する左右方向において、口栓７０と２つの突出部８３，８５との位置関係が略同じである。故に、作業者は、２つの突出部８３，８５が対向する左右方向における、口栓７０と２つの突出部８３，８５の位置関係を考慮することなく、２つの突出部８３，８５の突出方向の長さの違いに着目し、液体収容体３１に収容されたインクの種類を容易に判別できる。なお、取付部８０が第一姿勢と第二姿勢との間で切り替わっても、２つの突出部８３，８５とが対向する左右方向において、口栓７０と２つの突出部８３，８５との位置関係が略同じでなくてもよい。
【符号の説明】
【０１１０】
３    カートリッジ
１３    液体収容袋
３１    液体収容体
３３    第一ケース
３４    支持壁部
７０    口栓
７４    第一載置部
７５    第二載置部
８０，８０１    取付部
８３    第一突出部
８５    第二突出部
９０    ホルダ
９３    延伸部
９４    突起部
９８    電気基板
３４４    内面
３４５    外面
３４６    第一支持部
３４７    第二支持部
３６１，３６２    溝部
３７１，３７２    第一開口部
３８１，３８２    開口壁部
３９１，３９２    第二開口部
８１３，８１４，８１９    係合孔部
８３４    第一係合爪
８５６    第二係合爪
８７１，８７２    延伸壁部
８７３，８７４    係合開口部
９１１    ホルダ開口部
９１２，９１３    ホルダ係合部
９１４，９１５    ホルダ爪
【図１】
2015196250.tif 000003
【図２】
2015196250.tif 000004
【図３】
2015196250.tif 000005
【図４】
2015196250.tif 000006
【図５】
2015196250.tif 000007
【図６】
2015196250.tif 000008
【図７】
2015196250.tif 000009
【図８】
2015196250.tif 000010
【図９】
2015196250.tif 000011
【図１０】
2015196250.tif 000012
【図１１】
2015196250.tif 000013
【図１２】
2015196250.tif 000014
【図１３】
2015196250.tif 000015
【図１４】
2015196250.tif 000016
【図１５】
2015196250.tif 000017
【図１６】
2015196250.tif 000018
【図１７】
2015196250.tif 000019
【図１８】
2015196250.tif 000020